(57)【要約】【課題】放電特性への影響を抑制しつつ金属の微粒子を放出することが可能な髪ケア装置を得る。【解決手段】イオンが当たることにより金属の微粒子を放出する金属部材６を、放電電極５ａやグラウンド電極５ｂとは別に設けた。したがって、放電電極５ａやグラウンド電極５ｂのみから金属の微粒子を放出する場合に比べて、放電特性への影響を抑制しつつ金属の微粒子を放出することができる。【選択図】図１
2010035584.tif 000002
【特許請求の範囲】
【請求項１】
放電電極とグラウンド電極との間の放電作用によってイオンを発生させるイオン発生部を備え、発生したイオンを放出する髪ケア装置において、
前記放電電極およびグラウンド電極とは別個に構成され前記イオン発生部で発生したイオンが当たることにより金属の微粒子を放出する金属部材を設けたことを特徴とする髪ケア装置。
【請求項２】
前記金属部材を着脱可能に設けたことを特徴とする請求項１に記載の髪ケア装置。
【請求項３】
筐体内に前記イオン発生部で発生したイオンが通るイオン通路が形成され、
前記イオン通路に空気流を生じさせる送風機構を備えることを特徴とする請求項１または２に記載の髪ケア装置。
【請求項４】
前記筐体内に、前記イオン通路とは別に、前記送風機構によって生じた空気流を流して吹き出させる送風通路を形成したことを特徴とする請求項３に記載の髪ケア装置。
【請求項５】
前記送風通路に空気流を加熱する加熱機構を設け、
前記加熱機構より上流側で、前記送風機構によって生じた空気流を前記イオン通路と前記送風通路の加熱機構を設けた部分とに分岐したことを特徴とする請求項４に記載の髪ケア装置。
【請求項６】
前記送風通路に空気流を加熱する加熱機構を設け、
前記加熱機構によって生じた熱により前記金属部材を加熱するようにしたことを特徴とする請求項４に記載の髪ケア装置。
【請求項７】
前記イオン発生部と、当該イオン発生部に水を供給する水供給部と、を含んで微粒化されたミストを生じさせる静電霧化機構を備え、前記金属部材を当該静電霧化機構に含まれるイオン発生部で発生したイオンが当たる位置に設けたことを特徴とする請求項１〜６のうちいずれか一つに記載の髪ケア装置。
【請求項８】
前記イオン発生部とは別個に構成され放電作用によってイオンを発生させる第二のイオン発生部と、当該第二のイオン発生部に水を供給する水供給部と、を含んで微粒化されたミストを生じさせる静電霧化機構を備えることを特徴とする請求項１〜６のうちいずれか一つに記載の髪ケア装置。
【請求項９】
前記第二のイオン発生部で発生したイオンが当たる位置に、当該イオンが当たることにより金属の微粒子を放出する第二の金属部材を設けたことを特徴とする請求項８に記載の髪ケア装置。
【請求項１０】
前記送風機構によって生じた空気流を加湿する加湿機構を設けたことを特徴とする請求項３〜６のうちいずれか一つに記載の髪ケア装置。
【請求項１１】
前記加湿機構は、前記金属部材を冷却する冷却部を有し、当該冷却部によって冷却された金属部材の表面に空気中の水分を結露させて結露水を生じさせ、当該結露水を加湿に供することを特徴とする請求項１０に記載の髪ケア装置。
【発明の詳細な説明】
【技術分野】
【０００１】
本発明は、髪ケア装置に関する。
【背景技術】
【０００２】
従来、遷移金属を含む電極間で放電させることによって当該遷移金属の微粒子を生成し、その微粒子を髪に向けて放出するようにしたヘアドライヤが知られている（特許文献１）。
【特許文献１】特開２００８−２３０６３号公報
【発明の開示】
【発明が解決しようとする課題】
【０００３】
しかしながら、上記特許文献１に開示されるヘアドライヤでは、遷移金属の微粒子が放出された分だけ電極が少しずつ小さくなるため、非常に長期に亘って使用すると、放電特性が変化する場合があった。
【０００４】
そこで、本発明は、放電特性への影響を抑制しつつ金属の微粒子を放出することが可能な髪ケア装置を得ることを目的とする。
【課題を解決するための手段】
【０００５】
請求項１の発明にあっては、放電電極とグラウンド電極との間の放電作用によってイオンを発生させるイオン発生部を備え、発生したイオンを放出する髪ケア装置において、上記放電電極およびグラウンド電極とは別個に構成され上記イオン発生部で発生したイオンが当たることにより金属の微粒子を放出する金属部材を設けたことを特徴とする。
【０００６】
請求項２の発明にあっては、上記金属部材を着脱可能に設けたことを特徴とする。
【０００７】
請求項３の発明にあっては、筐体内に上記イオン発生部で発生したイオンが通るイオン通路が形成され、上記イオン通路に空気流を生じさせる送風機構を備えることを特徴とする。
【０００８】
請求項４の発明にあっては、上記筐体内に、上記イオン通路とは別に、上記送風機構によって生じた空気流を流して吹き出させる送風通路を形成したことを特徴とする。
【０００９】
請求項５の発明にあっては、上記送風通路に空気流を加熱する加熱機構を設け、上記加熱機構より上流側で、上記送風機構によって生じた空気流を上記イオン通路と上記送風通路の加熱機構を設けた部分とに分岐したことを特徴とする。
【００１０】
請求項６の発明にあっては、上記送風通路に空気流を加熱する加熱機構を設け、上記加熱機構によって生じた熱により上記金属部材を加熱するようにしたことを特徴とする。
【００１１】
請求項７の発明にあっては、上記イオン発生部と、当該イオン発生部に水を供給する水供給部と、を含んで微粒化されたミストを生じさせる静電霧化機構を備え、上記金属部材を当該静電霧化機構に含まれるイオン発生部で発生したイオンが当たる位置に設けたことを特徴とする。
【００１２】
請求項８の発明にあっては、上記イオン発生部とは別個に構成され放電作用によってイオンを発生させる第二のイオン発生部と、当該第二のイオン発生部に水を供給する水供給部と、を含んで微粒化されたミストを生じさせる静電霧化機構を備えることを特徴とする。
【００１３】
請求項９の発明にあっては、上記第二のイオン発生部で発生したイオンが当たる位置に、当該イオンが当たることにより金属の微粒子を放出する第二の金属部材を設けたことを特徴とする。
【００１４】
請求項１０の発明にあっては、上記送風機構によって生じた空気流を加湿する加湿機構を設けたことを特徴とする。
【００１５】
請求項１１の発明にあっては、上記加湿機構は、上記金属部材を冷却する冷却部を有し、当該冷却部によって冷却された金属部材の表面に空気中の水分を結露させて結露水を生じさせ、当該結露水を加湿に供することを特徴とする。
【発明の効果】
【００１６】
請求項１の発明によれば、放電電極やグラウンド電極とは別に設けた金属部材にイオンを当てて当該金属部材から金属の微粒子を放出するようにしたので、放電電極やグラウンド電極のみから金属の微粒子を放出する場合に比べて、放電特性への影響を抑制しつつ金属の微粒子を放出することができる。
【００１７】
請求項２の発明によれば、微粒子の放出によって金属部材が減るなど、金属部材に何らかの不具合が生じたときに、当該金属部材を比較的容易に交換することができる。
【００１８】
請求項３の発明によれば、送風機構で生じた空気流により、イオンが金属部材に当たって金属の微粒子が放出されるのを促進するとともに、当該微粒子が外へ放出されるのを促進することができる。
【００１９】
請求項４の発明によれば、送風通路からの送風と、イオン通路からの金属の微粒子の放出とを、それぞれ個別に調整することができる。
【００２０】
請求項５の発明によれば、加熱機構の熱によってイオン通路に配置されたイオン発生部や金属部材が過剰に熱せられるのを抑制することができる。
【００２１】
請求項６の発明によれば、加熱機構の熱を利用して、金属部材を加熱して、微粒子の放出特性を向上することができる。
【００２２】
請求項７の発明によれば、静電霧化機構により微粒化されたミストも放出できる上、当該静電霧化機構で生じるイオンを利用して、金属部材から金属の微粒子を放出することができる。
【００２３】
請求項８の発明によれば、静電霧化機構によるミストの放出と、イオン発生部により発生したイオンによる金属の微粒子の放出とを、それぞれ個別に調整することができる。
【００２４】
請求項９の発明によれば、静電霧化機構で生じたイオンも利用して金属の微粒子を放出できるため、金属の微粒子の放出量を増大することができる。
【００２５】
請求項１０の発明によれば、加湿機構を設けた分、髪や地肌に潤いを与えることができる。
【００２６】
請求項１１の発明によれば、金属の微粒子を放出する金属部材を利用して加湿機構を構成することができるので、装置内で部品の共用化を促進することができる。
【発明を実施するための最良の形態】
【００２７】
以下、本発明の実施形態について図面を参照しながら詳細に説明する。なお、以下に示す複数の実施形態には、同様の構成要素が含まれている。よって、それら同様の構成要素には共通の符号を付与するとともに、重複する説明を省略する。
【００２８】
（第１実施形態）図１，図２は本発明の第１実施形態を示しており、このうち、図１は、本実施形態にかかる髪ケア装置としてのヘアブラシの断面図、図２は、ヘアブラシの使用時における使用者の帯電状態を示す模式図である。
【００２９】
図１に示すように、髪ケア装置としてのヘアブラシ１は、棒状に形成されており、使用者Ｈ（図２）が把持部１ａを持って先端部１ｂに設けられたブラシ部２を髪に当てて整髪する（髪を梳かす）ものである。ブラシ部２には、複数のブリッスル２ａが突設されている。
【００３０】
筐体としてのケーシング３は、複数の分割体３ａ〜３ｃを継ぎ合わせて構成されている。ケーシング３の内部には空洞が形成され、この空洞内に、各種電気部品が収容されている。
【００３１】
ケーシング３の分割体３ｃには、ブラシ部２のブリッスル２ａに向けて開放された開口部３ｄが形成され、さらにこの開口部３ｄを終端とする空洞４が形成されている。この空洞４には、イオン発生部５が収容されており、本実施形態では、この空洞４が、イオン通路に相当する。
【００３２】
イオン発生部５は、針状の放電電極５ａと、その先端側に配置された略円板状のグラウンド電極５ｂと、を含んでおり、放電電極５ａとグラウンド電極５ｂとの間に高電圧を印加することで放電（コロナ放電）を生じさせ、その放電作用によってイオン（本実施形態ではマイナスイオン、例えばＮＯ２−、ＮＯ３−等）を生じさせるものである。ここで生じたイオンは、グラウンド電極５ｂにおいて放電電極５ａの先端側の外方となる位置に形成された貫通孔５ｃから外方に向けて放出される。このイオン発生部５を駆動する高電圧回路や制御回路は、回路部７に含まれており、本実施形態では、ケーシング３内の、イオン発生部５に隣接して把持部１ａと先端部１ｂとの間となる位置に、収容されている。
【００３３】
そして、本実施形態では、イオン通路としての空洞４のイオンが通過する部分に臨ませて、金属部材６を設けてある。金属部材６は、開口部３ｄに貫通孔６ａを有する略板状あるいはメッシュ状の部材として設けられており、略円筒状の分割体３ｃに固定されている。
【００３４】
よって、本実施形態によれば、イオン発生部５で生じたイオンが、金属部材６の貫通孔６ａから外部に放出されることになる。なお、イオンの流れは、特段、空気流が無くても生じるものである。
【００３５】
このとき、イオン通路としての空洞４を流れるイオンが金属部材６に当たると、金属部材６から金属の微粒子が放出される。金属部材６は、例えば、遷移金属（例えば、金、銀、銅、白金、亜鉛、チタン、ロジウム、パラジウム、イリジウム、ルテニウム、オスミウム等）またはこれを含む合金等として構成することができる。金属部材６が、金や、銀、銅等である場合、当該金属の微粒子には、抗菌作用が生じる。また、金属部材６が、白金、亜鉛、チタン等である場合、当該金属の微粒子には、抗酸化作用が生じる。なお、白金を用いると、抗酸化作用が極めて高くなることが判明している。また、金属部材６は、少なくともイオンが当たる部分が上記微粒子を放出する構成であればよく、例えば、当該金属材料によって表面処理（例えばメッキ処理等）したものとして構成してもよいし、金属テープや金属箔としてもよい。また、ねじや、フィルタ、冷却フィン、ばね等の構成部品を、金属部材６として構成してもよい。また、金属部材６の形状は、リング状や、メッシュ状、板状等、種々に設定することができる。一方、金属の微粒子の放出を主として金属部材６で行わせるため、放電電極５ａやグラウンド電極５ｂは、これら遷移金属を含まない金属部材（例えば、ステンレスやタングステン等）によって構成することができる。
【００３６】
したがって、上記構成によれば、イオン発生部５で発生したイオンが金属部材６に当たり、これにより、当該金属部材６に含まれる金属の微粒子が開口部３ｄから放出され、使用者Ｈの髪や地肌に作用することになる。この金属の微粒子によって、抗菌作用や抗酸化作用が得られる。
【００３７】
上述したように、本実施形態にかかるヘアブラシ１は、マイナスイオンならびに金属の微粒子を放出するものであるが、これらの負電荷が使用者Ｈに蓄積されると、マイナスイオンが使用者Ｈに向けて放出されにくくなり、ひいては、金属の微粒子も放出され難くなる。そこで、本実施形態にかかるヘアブラシ１は、使用者Ｈを、イオン発生部５で発生するイオンの電荷の反対極（本実施形態ではプラス）に帯電させるチャージ機能を備えている。具体的には、図１に示すように、把持部１ａの外表面に露出するチャージ電極９を設け、当該チャージ電極９をイオン発生部５のグラウンドレベルより所定電圧分だけプラスとなる高い電位にしてある。本実施形態では、回路部７内にグラウンドレベルより電位を高くする電圧源（例えば電池、コンデンサ等）を設け、その正極に導線８を介してチャージ電極９を接続してある。チャージ電極９は、導電性材料（例えば導体フィラーを含む合成樹脂材料等）によって所定形状に成形されており、把持部１ａのケーシング３の外表面に固定されている。したがって、使用者Ｈの手ｈａから頭部ｈｅまでが正電荷で帯電され、これにより、負電荷が蓄積されてマイナスイオンが使用者Ｈに到達しにくくなるのを抑制することができる。
【００３８】
また、本実施形態では、金属部材６が固定されるとともに空洞４の終端部を形成している分割体３ｃを、把持部１ａ側の分割体３ｂに、着脱可能に取り付けてある。具体的には、分割体３ｂの空洞４の内周面に凹部を設けるとともに、分割体３ｃにこの凹部に対して弾性的に突没可能な爪部を設けることによって係合部Ｌを形成し、手指あるいは工具等によって力を加えながら分割体３ｃを分割体３ｂから引き抜くことができ、かつ分割体３ｃを分割体３ｂに押し込んで取り付けることができるようにしてある。よって、長期の使用によって、金属部材６から微粒子が放出されて小さくなった場合など、金属部材６に何らかの不具合が生じた場合に、新しい金属部材６に容易に交換することができる。この場合、分割体３ｃも含めて新品に交換してもよいし、分割体３ｂから取り外した分割体３ｃに対して金属部材６の交換作業を行い、新しい金属部材６を設けた分割体３ｃを分割体３ｂに戻すようにしてもよい。
【００３９】
以上説明したように、本実施形態では、イオンが当たることにより金属の微粒子を放出する金属部材６を、イオン発生部５の放電電極５ａおよびグラウンド電極５ｂとは別個に設けた。よって、放電電極５ａやグラウンド電極５ｂのみから金属の微粒子を放出する場合に比べて、放電特性への影響を抑制しつつ金属の微粒子を放出することができる。なお、金属部材６は、筐体としてのケーシング３の内部でイオン発生部５に近接した位置に配置するのが好ましいが、イオンの通流経路となる位置（イオンが当たる位置）に臨ませて設けてあればよく、ケーシング３外でイオンが当たる位置に設けてもよい。
【００４０】
また、本実施形態にかかるヘアブラシ１には、金属部材６を着脱可能に設けた。よって、微粒子の放出によって金属部材６が小さくなるなど、金属部材６に何らかの不具合が生じたときに、当該金属部材６を比較的容易に交換することができる。さらに、本実施形態のように金属部材６を固定したケーシング３の分割体３ｃを他の分割体３ｂに対して着脱可能に構成すれば、ケーシング３の材料（好適には合成樹脂材料等）の弾性を利用して着脱に要する力の調整を行いやすいというメリットがある。ただし、金属部材６そのものをケーシング３等に着脱可能に取り付けるようにしてもよい。また、金属部材６をケーシング３の外部に設けた場合には着脱をより容易に行えるようになる。
【００４１】
また、本実施形態では、使用者Ｈを、イオン発生部５で発生したイオンの電荷の反対極に帯電させるチャージ機構として、把持部１ａにチャージ電極９を設けた。よって、使用者Ｈに放出されたイオンの電荷が蓄積して、イオンの流れが阻害され、ひいては金属の微粒子が放出されにくくなるのを抑制することができる。
【００４２】
（第２実施形態）図３は、本実施形態にかかる髪ケア装置としてのヘアブラシの断面図である。
【００４３】
本実施形態にかかる髪ケア装置としてのヘアブラシ１Ａは、基本的には上記第１実施形態にかかるヘアブラシ１と同様の構成要素を備えており、イオン発生部５で発生したイオンを金属部材６に当てて金属の微粒子を放出させ、その金属の微粒子を開口部３ｄから放出させるようになっている。
【００４４】
ただし、本実施形態では、イオン通路としての空洞４に空気流を生じさせるファン１２およびこのファン１２を回転させるモータ１１を設け、イオン発生部５で発生したイオンを空気流に乗せて開口部３ｄから排出できるようにした点が、上記第１実施形態と相違している。
【００４５】
本実施形態では、送風機構としてのモータ１１およびファン１２は、ケーシング３によって形成される空洞１０内に収容されている。モータ１１は回路部７に含まれる駆動回路によって回転駆動される。ケーシング３の基端側（図３では下側）には空気の導入口となる開口部１０ａが形成されており、ファン１２が回転すると、外部から開口部１０ａを介して空洞１０内に流入し、当該空洞１０内を通って開口部３ｄからブラシ部２に向けて排出される空気流が形成されるとともに、ブラシ部２からも空気流が吹き出される。なお、本実施形態では、電源コード１３を介して電気部品に電力が供給されるようになっている。
【００４６】
以上の本実施形態によっても上記第１実施形態と同様の効果が得られるのはもちろんのこと、本実施形態では、さらに、イオン通路としての空洞４に空気流を生じさせる送風機構としてのモータ１１およびファン１２を設けたため、空気流によって、イオン発生部５で生じたイオンが金属部材６に当たって金属の微粒子が放出されるのを促進するとともに、当該微粒子が開口部３ｄから外へ放出されるのを促進することができる。
【００４７】
（第３実施形態）図４〜図８は、本実施形態にかかる髪ケア装置としてのヘアドライヤを示している。このうち、図４は、ヘアドライヤの平面図、図５は、ヘアドライヤの側面図、図６は、図４のVI−VI断面図、図７は、図５のVII−VII断面図、図８は、図７のVIII部を拡大して示した図である。
【００４８】
本実施形態にかかる髪ケア装置としてのヘアドライヤ１Ｂは、使用者が手で握る部分としての把持部１ｃと、把持部１ｃと交差する方向に結合された本体部１ｄとを備えており、把持部１ｃと本体部１ｄとで略Ｔ字状あるいは略Ｌ字状（本実施形態では略Ｔ字状）の外観を呈するように構成されている。また、把持部１ｃの突出端側からは、電源コード１３が引き出されている。なお、把持部１ｃは折り畳み可能に構成してもよい。
【００４９】
筐体としてのケーシング１４は、複数の分割体を継ぎ合わせて構成されている。図６に示すように、ケーシング１４の内部には空洞が形成されており、この空洞内に、各種電気部品が収容されている。
【００５０】
本体部１ｄの内部には、その長手方向（図６の左右方向）の一方側（左側）の開口部１０ａから他方側（右側）の開口部１０ｂに至る空洞１０が形成されており、当該空洞１０内に収容されたファン１２を回転することによって、外部から開口部１０ａを介して空洞１０内に流入し、当該空洞１０内を通って開口部３ｄからブラシ部２に向けて排出される空気流が形成されるようになっている。すなわち、本実施形態では、空洞１０が送風通路に相当する。
【００５１】
本実施形態では、本体部１ｄの内部に略円筒状の内筒１５が設けられており、空気流は主としてこの内筒１５の内側を流れるようになっている。この内筒１５の内部には、最も上流側にファン１２が設けられ、その下流側にファン１２を駆動するモータ１１が配置され、モータ１１のさらに下流側に加熱機構としてのヒータ１６が配置されている。ヒータ１６を作動させたときには、吹出口となる開口部１０ｂから温風が吹き出されることになる。なお、本実施形態では、ヒータ１６は、帯状かつ波板状の電気抵抗体を内筒１５の内周に沿って巻回して配置したものとして構成されているが、かかる構成には限定されない。
【００５２】
また、本体部１ｄには、ケーシング１４と内筒１５との間に形成された空洞４に、イオン発生部５、回路部７、および静電霧化機構１７が配置されている。
【００５３】
内筒１５の長手方向のほぼ中央部には、内筒１５の内外を連通する連通路１５ａが形成されており、内筒１５の内側の空洞１０を流れる空気流の一部が分岐されて空洞４内に導入されるようになっている。空洞４内に導入された空気流は、ケーシング１４に形成された開口部１４ａ，１４ｂ（図７参照）および開口部１０ｂから排出されるようになっている。イオン発生部５は、上述したように空洞４内に配置されており、当該イオン発生部５で発生したイオンは、空洞４内を流れる空気流に乗せられて、主としてイオン発生部５に対向して配置される開口部１４ａから排出される。したがって、本実施形態でも、空洞４（ただし連通路１５ａより下流側の部分）がイオン通路に相当する。
【００５４】
ここで、本実施形態では、連通路１５ａは、ファン１２の下流でありかつヒータ１６の上流側となる位置に設けられている。したがって、連通路１５ａを介して空洞４内に導入される空気流は、ヒータ１６によって加熱される前の、比較的冷たい空気流となる。
【００５５】
図７および図８に示すように、本実施形態では、空洞４内の、本体部１ｄの長手方向の開口部１０ｂ側（図７，図８の右側）となる位置に、イオン発生部５と静電霧化機構１７とを並列に並べて配置してある。
【００５６】
静電霧化機構１７は、針状の放電電極１７ａと、その先端側に配置された略リング状のグラウンド電極１７ｂとを含んでおり、放電電極１７ａとグラウンド電極１７ｂとの間に高電圧を印加することで放電（コロナ放電）を生じさせるものである。また、静電霧化機構１７は、冷却機構としてのペルチェ素子１７ｃと、熱伝導性を有する部材（例えば金属部材等）からなる冷却板１７ｄとを含んでおり、ペルチェ素子１７ｃによって冷却された冷却板１７ｄの表面に空気中の水分を結露させ、結露水を生じるようになっている。かかる構成では、結露水が放電作用によって微粒化され、ナノメータサイズの非常に細かいミスト（マイナスイオンを含むマイナスに帯電されたミスト）が生成されて、ケーシング１４の、放電電極１７ａの先端側の外方となる位置に形成された開口部１４ｂから、当該ケーシング１４の外部へ放出されるようになっている。本実施形態では、ペルチェ素子１７ｃおよび冷却板１７ｄが水供給部に相当する。また、この静電霧化機構１７でもイオンが生成されるため、この静電霧化機構１７は、イオン発生部５とは別のイオン発生部に相当するものである。
【００５７】
イオン発生部５は、上記第１実施形態にかかるイオン発生部５と同様の構成を有している。このイオン発生部５で発生したイオン（本実施形態ではマイナスイオン）は、ケーシング１４の、放電電極５ａの先端側の外方となる位置に形成された開口部１４ａから、当該ケーシング１４の外部へ放出されるようになっている。
【００５８】
上述したように、内筒１５に連通路１５ａを設けたことで、空洞４内には空気流が形成されており、この空気流によって、静電霧化機構１７で生成されたミスト（イオンを含む）の開口部１４ｂからの排出、ならびにイオン発生部５で生成されたイオンの開口部１４ａからの排出が促進される。
【００５９】
そして、本実施形態でも、図８に示すように、イオン通路としての空洞４のイオンが通過する部分に臨ませて金属部材６を設けてある。金属部材６は略リング状に形成されており、開口部１４ａにケーシング１４の内側から嵌挿して固定されている。よって、イオンは、金属部材６の貫通孔６ａから外部に放出されることになり、この際に、一部のイオンが金属部材６に当たり、金属部材６から金属の微粒子が放出される。
【００６０】
さらに、本実施形態では、静電霧化機構１７で発生したイオンを含むミストが当たる位置に、上記金属部材６と同様の金属部材６Ｂを設けてある。金属部材６Ｂも、もう一つの金属部材６と同様に、略リング状に形成されており、開口部１４ｂにケーシング１４の内側から嵌挿して固定されている。よって、イオンを含むミストは、金属部材６Ｂの貫通孔６ａから外部に放出されることになり、この際に、一部のイオンが金属部材６Ｂに当たり、金属部材６Ｂからも金属の微粒子が放出されることになる。この金属部材６Ｂは、もう一つの金属部材６と同様に、遷移金属またはこれを含む合金等として構成することができる。このとき、金属部材６Ｂの材質を金属部材６の材質と異ならせて、イオンを含むミストを当てた場合に、最も効率良く金属の微粒子を放出する材質を採用してもよい。また、金属部材６Ｂを、金属部材６と同じ部材で、同一形状としてもよく、その場合は、コスト低減に資することになる。
【００６１】
以上の本実施形態によっても上記第１および第２実施形態と同様の効果が得られるのはもちろんのこと、本実施形態では、さらに、送風通路としての空洞１０に空気流を加熱する加熱機構としてのヒータ１６を設け、そのヒータ１６より上流側で、送風機構としてのモータ１１およびファン１２によって生じた空気流を、空洞４のイオン通路となる部分と空洞１０のヒータ１６を設けた部分とに分岐した。このため、ヒータ１６の熱によって、イオン発生部５や、静電霧化機構１７、金属部材６，６Ｂ等が過剰に熱せられるのを抑制することができる。
【００６２】
また、本実施形態では、静電霧化機構１７を備え、金属部材６Ｂを、静電霧化機構１７の放電電極１７ａおよびグラウンド電極１７ｂを含むイオン発生部で発生したイオンが当たる位置に設けた。よって、本実施形態によれば、静電霧化機構１７によって、微粒化されたミストとともに、当該ミストに含まれるイオンを利用して金属部材６Ｂから微粒子を放出することができるため、微粒化されたミストによる使用者Ｈの髪や地肌に潤いを与える効果と、金属の微粒子による抗菌作用や抗酸化作用との双方を得ることができる。
【００６３】
そして、本実施形態では、この静電霧化機構１７とは別にイオン発生部５を設けてある。よって、静電霧化機構１７によるミストの放出と、イオン発生部５により発生したイオンによる金属の微粒子の放出とを、それぞれ個別に調整することができる。したがって、例えば、ミストの放出と金属の微粒子の放出とを調整する設定部（例えばつまみ等、図示せず）を設けておき、使用者Ｈが好みによって設定部（図示せず）を調整して、ミストだけを多くしたり、金属の微粒子の放出だけを多くしたり、両方多くしたり、両方停止させたり、するようなことも可能となる。
【００６４】
また、本実施形態では、静電霧化機構１７で発生したイオンが当たる位置に、当該イオンが当たることにより金属の微粒子を放出する金属部材６Ｂを設けてあり、イオン発生部５に対応する金属部材６に加えて、静電霧化機構１７に対応する金属部材６Ｂを設けた構造としてある。よって、静電霧化機構１７で生じたミストも利用して金属の微粒子を放出できるようになるため、金属の微粒子の放出量を増大することができる。
【００６５】
（第４実施形態）図９は、本実施形態にかかる髪ケア装置としてのヘアドライヤの断面図である。
【００６６】
本実施形態にかかるヘアドライヤ１Ｃは、基本的には上記第３実施形態にかかるヘアドライヤ１Ｂと同様の構成要素を備えており、イオン発生部５で発生したイオンを金属部材６Ｃに当てて金属の微粒子を放出させるようになっている。
【００６７】
ただし、本実施形態では、金属部材６Ｃで発生した金属の微粒子は、開口部１０ｂから放出されるようになっている。また、金属部材６Ｃは、平坦面あるいは凹凸面を有する板状部材として構成されており、イオン発生部５の下流側（開口部１０ｂ側）に、設置されている。
【００６８】
そして、本実施形態では、金属部材６を冷却する冷却部としてのペルチェ素子１８ａによって冷却し、金属部材６の表面に、空気中の水分を結露させて結露水を生じさせ、この結露水を加湿に供するようになっている。すなわち、本実施形態では、ペルチェ素子１８ａと金属部材６Ｃとを含む加湿機構１８が構成されている。
【００６９】
以上の本実施形態によっても上記第３実施形態と同様の効果が得られるのはもちろんのこと、本実施形態では、さらに、加湿機構１８を設けた分、髪や地肌に潤いを与えることができる。また、本実施形態では、金属の微粒子を放出する金属部材６Ｃを利用して加湿機構１８を構成したため、ヘアドライヤ１Ｃ内で部品の共用化を促進することができ、小型化や、質量軽減、製造コストの低減等に資することになる。
【００７０】
（第５実施形態）図１０は、本実施形態にかかる髪ケア装置としてのヘアドライヤの断面図である。
【００７１】
本実施形態にかかるヘアドライヤ１Ｄは、基本的には上記第３実施形態にかかるヘアドライヤ１Ｂと同様の構成要素を備えており、イオン発生部５で発生したイオンを金属部材６Ｄに当てて金属の微粒子を放出させるようになっている。
【００７２】
ただし、本実施形態では、空気流の加熱機構としてのヒータ１６の熱を利用して金属部材６Ｄを加熱するようにしている。具体的には、内筒１５の外表面に形成した凹部内に没入させた状態で金属部材６Ｄを設置し、金属部材６Ｄをヒータ１６に近付けて配置してある。このとき、金属部材６Ｄが配置される部分の内筒１５の厚みを調整することで、金属部材６Ｄの加熱度合いを調整することができる。また、金属部材６Ｄの一部を内筒１５の内周面に露出させてもよい。また、金属部材６Ｄとヒータ１６との間に熱伝導性を有する熱伝達部材を介在させてもよい。
【００７３】
以上の本実施形態によっても上記第３実施形態と同様の効果が得られるのはもちろんのこと、本実施形態では、さらに、加熱機構としてのヒータ１６の熱を利用して金属部材６Ｄを加熱することで、当該金属部材６Ｄからの微粒子の放出特性の向上を図ることができる。
【００７４】
（第６実施形態）図１１は、本実施形態にかかる髪ケア装置としてのヘアドライヤの断面図である。
【００７５】
本実施形態にかかるヘアドライヤ１Ｅは、基本的には上記第３実施形態にかかるヘアドライヤ１Ｂと同様の構成要素を備えており、イオン発生部５で発生したイオンを金属部材６Ｅに当てて金属の微粒子を放出させるようになっている。
【００７６】
ただし、本実施形態では、イオン発生部５を空気通路としての空洞１０内に設けるとともに、内筒１５の出口に、メッシュ状あるいは多数の小孔を有する板状の部材として金属部材６Ｅを設けた。
【００７７】
このように、イオン発生部５および金属部材６Ｅは、空気通路としての空洞１０内に設けることができる。かかる構成は、髪ケア装置の小型化のためイオン通路を別個に形成し難い場合等に有効である。そして、本実施形態によっても上記第３実施形態と同様の効果が得られるのはもちろんのこと、本実施形態では、さらに、金属部材６Ｅをメッシュ状あるいは多数の小孔を有する板状の部材として形成したため、金属部材６Ｅの表面積が大きくなる分、金属の微粒子の放出効率を高めやすくなる。また、金属部材６Ｅを空気通路の吹出側のフィルタとして共用することができる分、これらを別個に設ける場合に比べて、質量軽減や製造コストの低減に資することになる。
【００７８】
（第７実施形態）図１２，図１３は、本発明の第７実施形態を示しており、このうち、図１２は、本実施形態にかかる髪ケア装置としてのヘアドライヤの断面図、図１３は、図１２の一部の拡大図である。
【００７９】
本実施形態にかかるヘアドライヤ１Ｆは、基本的には上記第３実施形態にかかるヘアドライヤ１Ｂと同様の構成要素を備えており、イオン発生部５で発生したイオンを金属部材６に当てて金属の微粒子を放出させるようになっている。
【００８０】
ただし、本実施形態では、図１２，１３に示すように、本体部１ｄの吹出口側に、ケーシングの一部となる着脱可能な筒状のノズル１９を取り付け、このノズル１９内にイオン発生部５と金属部材６とを設けてある。
【００８１】
すなわち、ノズル１９の筒内に図示しないリブ等を介して支持ブロック２０を固定し、この支持ブロック２０に、放電電極５ａとグラウンド電極５ｂとを含むイオン発生部５を設け、放電電極５ａの先端側の外方となる位置に、リング状の金属部材６を配置してある。
【００８２】
そして、イオン発生部５に電源電力が供給されるよう、支持ブロック２０および本体部１ｄ（本実施形態では内筒１５）に、コネクタ２１を設けてある。本実施形態では、フィルタプレート２２に固定された支持基台２１ａに端子２１ｂ，２１ｂを突設する一方、支持ブロック２０には凹部２１ｃ，２１ｃを形成し、ノズル１９を本体部１ｄに装着したときに、端子２１ｂ，２１ｂをそれぞれ対応する凹部２１ｃ，２１ｃに嵌挿され、回路部７からコネクタ２１を介してイオン発生部５に電源電力が供給されるようにしてある。
【００８３】
以上の本実施形態によっても上記第３実施形態と同様の効果が得られるのはもちろんのこと、本実施形態では、さらに、本体部１ｄに着脱可能なノズル１９にイオン発生部５および金属部材６を設けたため、ノズル１９の着脱に伴ってイオン発生部５および金属部材６を比較的簡単に着脱することができる。したがって、使用者は、金属の微粒子が放出される状態と放出されない状態とをノズル１９の着脱によって簡単に切り替えることが可能となる。また、ノズル１９に金属部材６を設けたため、金属部材６のメンテナンスをより容易に行うことができるという利点もある。
【００８４】
（第８実施形態）図１４，図１５は、本発明の第８実施形態を示しており、このうち、図１４は、本実施形態にかかる髪ケア装置としてのヘアアイロンの側面図、図１５は、図１４のXV−XV断面図である。
【００８５】
図１４に示すように、本実施形態にかかる髪ケア装置としてのヘアアイロン１Ｇは、回動連結部２３を介して略Ｖ字状に拡開可能な二つのアーム部１ｅ，１ｆを備えており、それらアーム部１ｅ，１ｆの先端側の挟持部２４に髪を挟み込んで加熱部２５で加熱して整髪するものである。
【００８６】
図１５に示すように、筐体としてのケーシング２６は、複数の分割体２６ａ，２６ｂを継ぎ合わせて構成されている。ケーシング２６の内部には空洞が形成され、この空洞内に、各種電気部品が収容されている。
【００８７】
アーム部１ｅのケーシング２６の分割体２６ｂは、挟持部２４の回動連結部２３側に隣接する部分で膨出されている。そしてこの膨出部分に、挟持部２４の側方に向けて開放された開口部２６ｃが形成され、さらにこの開口部２６ｃを終端とする空洞４が形成されている。この空洞４には、イオン発生部５が収容されており、本実施形態では、この空洞４が、イオン通路に相当する。図１５からわかるように、本実施形態では、イオン発生部５および金属部材６を含む構成が、加熱部２５の両側に設けてある。
【００８８】
そして、開口部２６ｃの内部側に隣接して、イオン発生部５で発生したイオンが当たる位置に、略板状の金属部材６が設けられている。よって、イオンが金属部材６に当たって、当該金属部材６から金属の微粒子が放出される。
【００８９】
以上の本実施形態によれば、挟持部２４で挟持した髪の、当該挟持部２４から外（図１５の左右側）に出た隣接部分に、金属部材６に含まれる金属の微粒子を作用させ、抗菌作用や抗酸化作用を得ることができる。そして、本実施形態でも、イオン発生部５とは別に金属部材６を設けたため、上記各実施形態と同様の効果を得ることができる。
【００９０】
以上、本発明の好適な実施形態について説明したが、本発明は上記実施形態には限定されず、種々の変形が可能である。例えば、金属部材は、上記実施形態に開示した構成（形状）、大きさ、配置等には限定されない。
【００９１】
また、髪ケア装置自体の構成も、それぞれ適宜に変形することが可能であり、静電霧化機構や、送風機構、加熱機構、加湿機構、冷却部等は、上記髪ケア装置のいずれにも適用可能であるし、適宜に組み合わせて適用することも可能である。また、静電霧化機構や加湿機構に水を供給する水供給部は、水タンクや、チューブ、含水部材等を用いて構成してもよい。
【００９２】
また、上記第３実施形態では、静電霧化機構とこれとは別に設けたイオン発生部との双方に対応させて金属部材を設け、それら双方の金属部材から金属の微粒子を放出させる例を開示したが、当該静電霧化機構とは別に設けたイオン発生部にのみ金属部材を対応させて設け、その金属部材のみから金属の微粒子を放出させるようにしてもよい。
【図面の簡単な説明】
【００９３】
【図１】本発明の第１実施形態にかかる髪ケア装置としてのヘアブラシの断面図である。
【図２】本発明の第１実施形態にかかる髪ケア装置としてのヘアブラシの使用時における使用者の帯電状態を示す模式図である。
【図３】本発明の第２実施形態にかかる髪ケア装置としてのヘアブラシの断面図である。
【図４】本発明の第３実施形態にかかる髪ケア装置としてのヘアドライヤの平面図である。
【図５】本発明の第３実施形態にかかる髪ケア装置としてのヘアドライヤの側面図である。
【図６】図４のVI−VI断面図である。
【図７】図５のVII−VII断面図である。
【図８】図７のVIII部を拡大して示した図である。
【図９】本発明の第４実施形態にかかる髪ケア装置としてのヘアドライヤの断面図である。
【図１０】本発明の第５実施形態にかかる髪ケア装置としてのヘアドライヤの断面図である。
【図１１】本発明の第６実施形態にかかる髪ケア装置としてのヘアドライヤの断面図である。
【図１２】本発明の第７実施形態にかかる髪ケア装置としてのヘアドライヤの断面図である。
【図１３】図１２の一部の拡大図である。
【図１４】本発明の第８実施形態にかかる髪ケア装置としてのヘアアイロンの側面図である。
【図１５】図１４のXV−XV断面図である。
【符号の説明】
【００９４】
１，１Ａ  ヘアブラシ（髪ケア装置）
１Ｂ〜１Ｆ  ヘアドライヤ（髪ケア装置）
１Ｇ  ヘアアイロン（髪ケア装置）
３  ケーシング（筐体）
４  空洞（イオン通路）
５  イオン発生部
５ａ  放電電極
５ｂ  グラウンド電極
６，６Ｂ，６Ｃ，６Ｄ，６Ｅ  金属部材
１０  空洞（送風通路）
１１  モータ（送風機構）
１２  ファン（送風機構）
１４  ケーシング（筐体）
１５ａ  連通路
１６  ヒータ（加熱機構）
１７  静電霧化機構
１７ｃ  ペルチェ素子（水供給部）
１７ｄ  冷却板（水供給部）
１８  加湿機構
１８ａ  ペルチェ素子（冷却部）
２６  ケーシング（筐体）
【図１】
2010035584.tif 000003
【図２】
2010035584.tif 000004
【図３】
2010035584.tif 000005
【図４】
2010035584.tif 000006
【図５】
2010035584.tif 000007
【図６】
2010035584.tif 000008
【図７】
2010035584.tif 000009
【図８】
2010035584.tif 000010
【図９】
2010035584.tif 000011
【図１０】
2010035584.tif 000012
【図１１】
2010035584.tif 000013
【図１２】
2010035584.tif 000014
【図１３】
2010035584.tif 000015
【図１４】
2010035584.tif 000016
【図１５】
2010035584.tif 000017